(57)【要約】【課題】駐車場の駐車スペースにおける照明の点灯管理を無駄のない構成により安価に行なえるようにする。【解決手段】１台の車両の駐車スペースＳを照明する照明手段２と、照明手段２からの光が駐車スペースＳに駐車される車両Ｃに遮られる位置に配置される光反射手段１０と、光反射手段１０からの反射光の検知手段４と、検知手段４において反射光が検知できない場合に照明手段２の照明を消す消灯手段６とを備える駐車場装置。【選択図】  図１
2006188935.tif 000002
【特許請求の範囲】
【請求項１】
１台の車両の駐車スペースを照明する照明手段と、
前記照明手段からの光が前記駐車スペースに駐車される車両に遮られる位置に配置される光反射手段と、
前記光反射手段からの反射光の検知手段と、
前記検知手段において反射光が検知できない場合に前記照明手段の照明を消す消灯手段と、
を備えてなることを特徴とする駐車場装置。
【発明の詳細な説明】
【技術分野】
【０００１】  この発明は駐車スペースにおける照明の点灯管理を行なうための駐車場装置に関する。
【背景技術】
【０００２】  広い駐車場では空いている駐車スペースの位置が分かりにくく、とくに、夜間の屋外駐車場や、地下の暗い駐車場ではその位置が分かりにくい。その点を考慮して最近では空いている駐車スペースをグリーンランプ等を点灯表示するようにしてその位置が容易に見つけられるようにしてる。その場合駐車が行なわれた駐車スペースの照明は消されなければならず、そのため駐車スペースの車両の有無に対応して照明の点灯制御がなされている。その点灯制御には車両の有無検知を行なう必要があり、従来ではその車両の有無検知を音波反射検知器やループコイルを用いて行なっていた。
【発明の開示】
【０００３】  上記のように車両の有無検知に音波反射検知器やループコイルを用いると、機器が高価であるとともに設置に手間がかかり、設置費用が多大となる問題があった。
【発明が解決しようとする課題】
【０００４】  この発明は、上記の事情に鑑みて行なったもので、駐車場の駐車スペースにおける照明の点灯管理を無駄のない構成により安価に行なえるようにすることを目的とする。
【０００５】  この発明の駐車場装置は、１台の車両の駐車スペースを照明する照明手段と、前記照明手段からの光が前記駐車スペースに駐車される車両に遮られる位置に配置される光反射手段と、前記光反射手段からの反射光の検知手段と、前記検知手段において反射光が検知できない場合に前記照明手段の照明を消す消灯手段とを備える。
【０００６】  上記構成によれば、駐車スペースに駐車が行なわれると、その車両により照明手段から光反射手段への光が遮られて検知手段による反射光の検知が行なわれなくなり、これにより消灯手段によって照明手段の照明が消される。
【発明の効果】
【０００７】  この発明によれば、車両の検知のための検知信号として駐車スペースの照明を行なう光を利用するので、音波発信機やループコイルを用いる場合に比して機器費用が安価となるとともに設置作業も容易となり、これにより駐車場の駐車スペースにおける照明の点灯管理を無駄のない構成により安価に行なえるようになる。
【発明を実施するための最良の形態】
【０００８】  図１はこの発明の駐車場装置１の構成図である。２は駐車スペースＳの前側の上方に設けられる照明手段としてのグリーンランプであり、このランプ２と一体に反射光の検知手段としての反射光センサ４、消灯手段としての制御器６のそれぞれが設けられている。このようにランプ２、反射光センサ４、制御器６のそれぞれを一体としていることで、それらへの配線作業が一括して容易に行なわれるようにしている。【０００９】  ８は駐車スペースＳの後部に設けられる車止めで、その傾斜面に光反射手段としての反射板１０が取り付けられている。反射板１０はその面方向が上記ランプ２からの光Ｘの進行方向と略直交する方向に配置され、ランプ２からの光Ｘを反射しその反射した光Ｙをランプ２の近傍にある反射光センサ４に送る。駐車スペースＳ上に車両Ｃが有ってランプ２からの光Ｘがそれに遮られて反射板１０に至らない場合は、反射光センサ４で反射光Ｙの検知はなされないようになっている。【００１０】  図２は上記の駐車場装置１を使用する無人の駐車場における管理システムの構成図であり、２０はマイクロコンピュータにより構成される駐車場の中央制御装置であり、中央制御装置２０には駐車スペースＳ数と同数の上記駐車場装置１のそれぞれが接続されるとともに、さらに、駐車場の出口に配置される駐車料金の支払機２２と出口開閉機２４、駐車場の入口に設置される駐車スペースＳの空きを平面的に表示する表示パネル２６のそれぞれが接続されて構成されている。【００１１】  以下、駐車場装置１の動作を含む駐車場における管理システムの動作を説明する。図３は上記中央制御装置２０の動作を示すフローチャートである。車両Ｃが駐車場に入場した際にはランプ２の点灯を目安として容易に空いている駐車スペースＳを探すことができ、駐車を完了すると車両Ｃによりランプ２の光が遮られることで反射光センサ４での検知出力がなくなり、それに対応する制御器６の作動によりランプ２が消される。ランプ２が消えることでその駐車スペースＳが空きでないことが判別される。【００１２】  また、検知器出力がなくなった際には、制御器６は中央制御装置２０に駐車開始信号を出力し、これにより、中央制御装置２０はその駐車スペースＳにおける駐車時間の計測を開始するとともに、表示パネル２６に駐車表示点灯信号を出力する（Ｓ１〜Ｓ３）。表示パネル２６はその信号を入力するとその駐車スペースＳの対応部位を点灯し、これにより新たな入場者は表示パネル２６を見ることでその駐車スペースＳが空いていないと認識できる。【００１３】  上記の駐車スペースＳの車両Ｃが駐車場を出る際には、駐車スペースＳを車両Ｃが離れてランプ２の光が遮られないことで反射光センサ４での検知出力が得られ、それに対応して制御器６がランプ２を点灯する。【００１４】  また、検知出力が得られた際には、制御器６は中央制御装置２０に駐車終了信号を出力し、これにより、中央制御装置２０はその計測された駐車時間に対応する駐車料金を算出してその支払い金額信号を支払い機２２に出力するとともに、表示パネル２６に駐車表示消灯信号を出力する（Ｓ４〜Ｓ７）。支払い金額信号を受けた支払い機２２は支払い金額を表示し、中央制御装置２０は支払い���２２よりその受領信号を受けた場合には開閉機２４に開き信号を与え（Ｓ８〜Ｓ９）、これにより開閉機２４が開くことで車両Ｃは駐車場を出ることができる。また、表示パネル２６は駐車表示消灯信号を受けるとその駐車スペースＳの対応部位を消灯する。これにより新たな入場者はその駐車スペースＳが空いていないことが分かる。【００１４】  なお、上記車両Ｃが駐車場を出る際、運転者は支払い機２２において自分の使用した駐車スペースＳの番号を入力し、これに対応して支払い機２２はその駐車スペースＳの支払い金額を表示する。
【図面の簡単な説明】
【図１】  この発明の駐車場装置の実施形態の構成図
【図２】  この発明の駐車場装置を用いる駐車場管理システムの実施形態の構成図
【図３】  この発明の駐車場装置を用いる駐車場管理システムの実施形態の動作説明のためのフローチャート
【符号の説明】
１    駐車場装置
２    ランプ（照明手段）
４    反射光センサ（検知手段）
６    制御器（消灯手段）
１０  光反射板（光反射手段）
Ｃ    車両
Ｓ    駐車スペース
【図１】
2006188935.tif 000003
【図２】
2006188935.tif 000004
【図３】
2006188935.tif 000005